(57)【要約】【課題】靴の着脱のたびの締付け調整を必要とせず、且つ砂等の異物が靴の内部に侵入し難い靴を提供する。【解決手段】底部１１と、底部１１の外周から上方へ立設し、且つ足を包むように形成されると共に、履き口部１２ａと、切開部１２ｂと、を形成してなるアッパー部１２と、アッパー部１２の爪先側上面に突出形成された舌部２３と、アッパー部１２の一側面から突出形成され、アッパー部１２の他側面に設けられた側面面ファスナー１２ｃに係合する固定ベルト１４と、を備える靴２０において、アッパー部１２の切開部１２ｂの縁部１２ｄ上側に縁部面ファスナー２２ｅが設けられ、舌部２３の下側の左右両端に舌部面ファスナー２３ｂが設けられると共に、舌部２３は、アッパー部１２の切開部１２ｂに上側から重なり、舌部面ファスナー２３ｂと縁部面ファスナー２２ｅとを係合し、しかも固定ベルト１４は、舌部２３の上側から重なり固定する。【選択図】図１
2010063642.tif 000002
【特許請求の範囲】
【請求項１】
使用者の足の足裏側が接する底部と、
前記底部の外周から上方へ立設し、且つ使用者の足を包むように形成されると共に、使用者の足を挿入するための履き口部と、前記履き口部の爪先側に連接する、前記履き口部より幅狭の切開部と、を形成してなる柔軟性を有するアッパー部と、
前記アッパー部の切開部に重なるように、前記アッパー部の爪先側上面に突出形成された、前記アッパー部の切開部より幅広の舌部と、
前記アッパー部の一側面から前記アッパー部の切開部の上方を横断するように突出形成され、前記アッパー部の他側面に設けられた側面面ファスナーに係合するベルト面ファスナーが設けられた固定ベルトと、を備える靴において、
前記舌部は、前記アッパー部の切開部に上側から重なり、しかも前記固定ベルトは、前記アッパー部を使用者の足に沿わせて決定した前記アッパー部の切開部の開き量を固定するように前記舌部の上側から重なることを特徴とする靴。
【請求項２】
使用者の足の足裏側が接する底部と、
前記底部の外周から上方へ立設し、且つ使用者の足を包むように形成されると共に、使用者の足を挿入するための履き口部と、前記履き口部の爪先側に連接する、前記履き口部より幅狭の切開部と、を形成してなる柔軟性を有するアッパー部と、
前記アッパー部の切開部に重なるように、前記アッパー部の爪先側上面に突出形成された、前記アッパー部の切開部より幅広の舌部と、
前記アッパー部の一側面から前記アッパー部の切開部の上方を横断するように突出形成され、前記アッパー部の他側面に設けられた側面面ファスナーに係合するベルト面ファスナーが設けられた固定ベルトと、を備える靴において、
前記アッパー部の切開部の縁部上側に縁部面ファスナーが設けられ、前記舌部の下側の左右両端に舌部面ファスナーが設けられると共に、
前記舌部は、前記アッパー部の切開部に上側から重なり、前記アッパー部を使用者の足に沿わせて決定した前記アッパー部の切開部の開き量を固定するように、前記舌部面ファスナーと前記縁部面ファスナーとを係合し、しかも前記固定ベルトは、前記舌部の上側から重なり固定することを特徴とする靴。
【請求項３】
前記アッパー部の切開部の開き量を最小としたときに、前記縁部面ファスナーと前記舌部面ファスナーとが係合可能で、しかも前記アッパー部の切開部の開き量が最大としたときにも、前記舌部の幅は前記開き量よりも広く、前記縁部面ファスナーと前記舌部面ファスナーとが係合可能であることを特徴とする請求項２に記載の靴。
【請求項４】
前記側面面ファスナーと、前記固定ベルトとを前記靴の前後方向に二以上備えたことを特徴とする請求項１乃至３のうちいずれか一つに記載の靴。
【発明の詳細な説明】
【技術分野】
【０００１】
本発明は、舌部を有し、固定ベルトによって締付けを行う靴に関するものである。
【背景技術】
【０００２】
図５に示すように、底部１１とアッパー部１２と舌部１３とを備える靴１０において、靴紐を使わず、固定ベルト１４によりアッパー部１２の締付けを行うものが知られている（例えば、特許文献１等）。
【特許文献１】実用新案登録第３０４９２１２号公報
【０００３】
このような靴１０は、アッパー部１２に切開部１２ｂを有し、舌部１３が切開部１２ｂに下側から重なり、この状態でアッパー部１２の切開部１２ｂの上方を横断するように固定ベルト１４にて締付ける。
ここで、使用者ごとに甲の高さや足幅はそれぞれ異なるので、固定ベルト１４で締付け具合を調整する必要がある。
【発明の開示】
【発明が解決しようとする課題】
【０００４】
しかしながら、このような靴１０は、靴１０の着脱のたびに固定ベルト１４を緩めたり締めたりしなければならないので、使用者の甲の高さや足幅に合わせて調整するには煩雑である。一方、固定ベルト１４を締めたまま靴１０を履くと、足の挿入に伴い舌部１３が靴１０前方に押し込まれてしまい、不快である。
また、舌部１３がアッパー部１２の切開部１２ｂに重なっていても、舌部１３とアッパー部１２との隙間に砂等の異物が溜まり、ついには異物が靴１０の中に入ってしまうという問題がある。
【０００５】
そこで、本発明の目的とするところは、靴の着脱のたびの締付け調整を必要とせず、且つ砂等の異物が靴の内部に侵入し難い靴を提供することにある。
【課題を解決するための手段】
【０００６】
上記の目的を達成するために、本発明の請求項１に記載の靴（２０）は、使用者の足の足裏側が接する底部（１１）と、底部（１１）の外周から上方へ立設し、且つ使用者の足を包むように形成されると共に、使用者の足を挿入するための履き口部（１２ａ）と、履き口部（１２ａ）の爪先側に連接する、履き口部（１２ａ）より幅狭の切開部（１２ｂ）と、を形成してなる柔軟性を有するアッパー部（１２）と、アッパー部（１２）の切開部（１２ｂ）に重なるように、アッパー部（１２）の爪先側上面に突出形成された、アッパー部（１２）の切開部（１２ｂ）より幅広の舌部（２３）と、アッパー部（１２）の一側面からアッパー部（１２）の切開部（１２ｂ）の上方を横断するように突出形成され、アッパー部（１２）の他側面に設けられた側面面ファスナー（１２ｃ）に係合するベルト面ファスナー（１４ａ）が設けられた固定ベルト（１４）と、を備える靴（２０）において、舌部（２３）は、アッパー部（１２）の切開部（１２ｂ）に上側から重なり、しかも固定ベルト（１４）は、アッパー部（１２）を使用者の足に沿わせて決定したアッパー部（１２）の切開部（１２ｂ）の開き量（Ｑ１，Ｑ２）を固定するように舌部（２３）の上側から重なることを特徴とする。
【０００７】
また、請求項２に記載の靴（２０）は、使用者の足の足裏側が接する底部（１１）と、底部（１１）の外周から上方へ立設し、且つ使用者の足を包むように形成されると共に、使用者の足を挿入するための履き口部（１２ａ）と、履き口部（１２ａ）の爪先側に連接する、履き口部（１２ａ）より幅狭の切開部（１２ｂ）と、を形成してなる柔軟性を有するアッパー部（１２）と、アッパー部（１２）の切開部（１２ｂ）に重なるように、アッパー部（１２）の爪先側上面に突出形成された、アッパー部（１２）の切開部（１２ｂ）より幅広の舌部（２３）と、アッパー部（１２）の一側面からアッパー部（１２）の切開部（１２ｂ）の上方を横断するように突出形成され、アッパー部（１２）の他側面に設けられた側面面ファスナー（１２ｃ）に係合するベルト面ファスナー（１４ａ）が設けられた固定ベルト（１４）と、を備える靴（２０）において、アッパー部（１２）の切開部（１２ｂ）の縁部（１２ｄ）上側に縁部面ファスナー（２２ｅ）が設けられ、舌部（２３）の下側の左右両端に舌部面ファスナー（２３ｂ）が設けられると共に、舌部（２３）は、アッパー部（１２）の切開部（１２ｂ）に上側から重なり、アッパー部（１２）を使用者の足に沿わせて決定したアッパー部（１２）の切開部（１２ｂ）の開き量（Ｑ１，Ｑ２）を固定するように、舌部面ファスナー（２３ｂ）と縁部面ファスナー（２２ｅ）とを係合し、しかも固定ベルト（１４）は、舌部（２３）の上側から重なり固定することを特徴とする。
【０００８】
また、請求項３に記載の靴（２０）は、アッパー部（１２）の切開部（１２ｂ）の開き量（Ｑ２）を最小としたときに、縁部面ファスナー（２２ｅ）と舌部面ファスナー（２３ｂ）とが係合可能で、しかもアッパー部（１２）の切開部（１２ｂ）の開き量（Ｑ１）が最大としたときにも、舌部（２３）の幅（Ｐ１）は開き量（Ｑ１）よりも広く、縁部面ファスナー（２２ｅ）と舌部面ファスナー（２３ｂ）とが係合可能であることを特徴とする。
【０００９】
また、請求項４に記載の靴（２０）は、側面面ファスナー（１２ｃ）と、固定ベルト（１４）とを靴（２０）の前後方向に二以上備えたことを特徴とする。
【００１０】
ここで、上記括弧内の記号は、図面および後述する発明を実施するための最良の形態に掲載された対応要素または対応事項を示す。
【発明の効果】
【００１１】
本発明の請求項１に記載の靴によれば、固定ベルトはアッパー部の切開部に上側から重なるので、固定ベルトが、アッパー部を使用者の甲の高さや足幅といった足のサイズに沿わせて決定したアッパー部の切開部の開き量を固定する。
また、舌部はアッパー部の切開部に上側から重なるので、固定ベルトによる締付けを解除しないまま靴を履いても、舌部が靴内部前方に押し込まれることはない。つまり、足の挿入に伴って、舌部が靴内部前方に押し込まれることがないので、足をアッパー部の履き口部に挿入し、爪先を数回地面に押圧するだけで靴を履くことができる。したがって、例えば、手が汚れていたり、両手に荷物を持っている場合であっても固定ベルトでの固定を解除せずに靴を履くことができる。
また、舌部はアッパー部の切開部に上側から重なるので、砂等の異物が靴の内部に侵入しない。つまり、アッパー部の切開部の下側から重なるときには、一応蓋となっているものの、舌部とアッパー部の縁部との間に異物が溜まり、ついには靴の内部にまで異物が侵入するが、アッパー部の切開部に上側から重なる構造では、舌部は完全に靴の外部にあるので、異物が舌部とアッパー部の縁部との間に溜まることはなく、靴の内部に侵入することもない。
【００１２】
また、請求項２に記載の靴によれば、アッパー部の切開部の縁部上側に縁部面ファスナーが設けられ、舌部の下側の左右両端に舌部面ファスナーが設けられ、しかも舌部はアッパー部の切開部に上側から重なるので、アッパー部と舌部とを係合することができる。よって、舌部により、アッパー部を使用者の甲の高さや足幅といった足のサイズに沿わせて決定したアッパー部の切開部の開き量を固定することができる。
また、舌部はアッパー部の切開部に上側から重なるので、舌部による締付けを解除しないまま靴を履いても、舌部が靴内部前方に押し込まれることはない。
加えて、この締付けを解除しないまま靴を履いても、アッパー部と舌部は係合しているので、足の挿入に伴ってアッパー部の縁部が靴内部に巻き込まれることがない。すなわち、固定ベルトを解除せずに靴を履いても、不快な履き心地になる可能性はより下がる。
また、舌部はアッパー部の切開部に上側から重なるので、請求項１に記載の靴同様、砂等の異物が靴の内部に侵入しない。
【００１３】
また、請求項３に記載の靴によれば、請求項２に記載の発明の作用効果に加え、アッパー部の切開部の開き量を最小としたときに、縁部面ファスナーと舌部面ファスナーとが係合可能で、しかもアッパー部の切開部の開き量が最大としたときにも、舌部の幅は開き量よりも広く、縁部面ファスナーと舌部面ファスナーとが係合可能であるようにしたので、アッパー部の切開部の開き量調整幅が広く、その開き量を固定することができる。すなわち、使用者は足の全長に合わせて靴のサイズを選びさえすれば、甲の高さや足幅といった足のサイズに個人差があってもほぼ全ての使用者が快適に使用できる。
【００１４】
また、請求項４に記載の靴によれば、請求項１乃至３に記載の発明の作用効果に加え、側面面ファスナーと、固定ベルトとを靴の前後方向に二以上備えたので、より確実にアッパー部の切開部の開き量を固定できる。
また、請求項１乃至３に記載の発明の作用効果を備えつつ、固定ベルトの本数という靴のデザインの選択の幅が広がる。
【００１５】
なお、本発明の靴のように、舌部がアッパー部の切開部に上側からのみ重なり、しかも固定ベルトが舌部の上側から重なる点は、上述した特許文献１には全く記載されていない。
【発明を実施するための最良の形態】
【００１６】
（第一実施形態）
図１及び図３を参照して、本発明の第一実施形態に係る靴２０を説明する。図１は、本発明の第一実施形態に係る靴２０の使用前の状態を示す斜視図である。図２は、図１に示す靴２０の使用時の状態を示す斜視図である。図３は、本発明の第一実施形態に係る靴２０を示す、図２のＡ−Ａ線拡大断面図であり、（ａ）は使用者が甲高である場合を、（ｂ）は使用者が甲高でない場合を示す。
【００１７】
この靴２０は、底部１１と、アッパー部１２と、舌部２３と、固定ベルト１４を備えるものであり、しかも靴紐を使用しない靴である。そして、特に舌部２３がアッパー部１２の外側に位置することを特徴とするものである。
【００１８】
底部１１は、使用者の足の足裏側が接し、使用者の体重を支えるものである。また、積層構造（図示しない）になっており、用途によって底部１１の地面側には各種パターンが施されている。
【００１９】
アッパー部１２は、底部１１の外周から上方へ立設し、且つ使用者の足を包むように形成されるものであり、履き口部１２ａと、切開部１２ｂと、を形成してなる。
履き口部１２ａは、靴２０の踵側上方に使用者の足を挿入するための開口部として形成される。
【００２０】
切開部１２ｂは、履き口部１２ａの爪先側に連接する開口部として形成され、履き口部１２ａから、靴２０全長の爪先から略１／３の位置にまで延びる。
【００２１】
また、使用者が靴２０を履く前において、切開部１２ｂの幅Ｑ２は履き口部１２ａより狭く、その幅は履き口部１２ａの幅の略１／４〜１／３とした。
更に、使用者が靴２０を使用中に、靴２０が脱げてしまわないように、使用者の足にアッパー部１２をフィットさせ、その位置で固定する必要があるので、アッパー部１２は使用者の足に応じて沿う程度の柔軟性を有する。
【００２２】
また、アッパー部１２の切開部１２ｂの縁部１２ｄ上側で、しかも切開部１２ｂ両側の箇所には、縁部面ファスナー２２ｅが設けられる。この縁部面ファスナー２２ｅは、後述する舌部面ファスナー２３ｂと係合する。
ここで、使用者の足にアッパー部１２を沿わせると、甲の高い人や足幅の広い人では、図３（ａ）のようにアッパー部１２の切開部１２ｂの開き量Ｑ１が大きくなるが、開き量が変化しても縁部面ファスナー２２ｅと舌部面ファスナー２３ｂとが係合できるように、それぞれの縁部面ファスナー２２ｅの左右方向の幅は、約２．５ｃｍに設定されており、これは使用者が履く前の切開部１２ｂの幅Ｑ２よりも広い。
【００２３】
加えて、アッパー部１２の小指側の側面には、ベルト片が突出形成され、そのベルト片の外側には側面面ファスナー１２ｃが設けられる。このベルト片は、アッパー部１２の切開部１２ｂに向かって突出形成されるが、アッパー部１２の切開部１２ｂには届かない長さである。
【００２４】
舌部２３は、アッパー部１２の切開部１２ｂに重なるように、アッパー部１２の爪先側上面に突出形成された一枚の柔軟性を有するシート状のものであり、アッパー部１２の切開部１２ｂに上側から重なる。
この突出形成は、本実施形態では舌部２３とは別工程で製造されたアッパー部１２に、一枚の舌部２３の先端を縫い合わせたものとした。この先端部分を縫合部２３ａと呼ぶ。
【００２５】
また、この舌部２３にてアッパー部１２の切開部１２ｂを完全に覆うことができるように、舌部２３の幅Ｐ１はアッパー部１２の切開部１２ｂよりも広く、具体的にはアッパー部１２の切開部１２ｂの幅の略４倍としている。また、舌部２３が前後に揺動可能な部分（縫合部２３ａを除いた部分）の長さは、アッパー部１２の切開部１２ｂよりも長い。
【００２６】
加えて、舌部２３でアッパー部１２の切開部１２ｂを覆ったときに縁部面ファスナー２２ｅと対応する箇所である、舌部２３の下側の左右両端には舌部面ファスナー２３ｂが設けられる。そして、アッパー部１２を使用者の甲の高さや足幅といった足のサイズに沿わせて決定したアッパー部１２の切開部１２ｂの開き量を固定するように、舌部面ファスナー２３ｂと縁部面ファスナー２２ｅとが係合する。
なお、通常の靴は靴紐を締めることによりアッパー部１２の切開部１２ｂを狭めて固定するが、本実施形態において靴紐は使用しない。また、切開部１２ｂの下側には舌部２３は設けない。
【００２７】
ここで、甲の高い人や足幅の広い人にも対応できるように、左右それぞれの舌部面ファスナー２３ｂの幅も縁部面ファスナー２２ｅと同様に約２．５ｃｍと、広めに設定されている。
【００２８】
固定ベルト１４は、アッパー部１２の親指側の側面から、アッパー部１２の切開部１２ｂの上方を横断するように突出形成される。アッパー部１２の切開部１２ｂを横断するように固定ベルト１４を配置したとき、固定ベルト１４の下側となる面の先端には、側面面ファスナー１２ｃに係合するベルト面ファスナー１４ａが設けられる。具体的には、ベルト面ファスナー１４ａの長さと、側面面ファスナー１２ｃの長さは約６ｃｍである。
そして、舌部２３がアッパー部１２の切開部１２ｂに上側から重なった後に、固定ベルト１４は舌部２３の上側から重なり固定する。
【００２９】
このような靴２０において、図３（ａ）に示すように、甲の高さｈ１が高い人は足囲が大きくなるので、靴２０の使用時にはアッパー部１２の切開部１２ｂが広くなる。したがって、縁部面ファスナー２２ｅと舌部面ファスナー２３ｂとの重なりＳ１は小さくなる。
ここで、甲の高さｈ１が非常に高く、アッパー部１２の切開部１２ｂの開き量Ｑ１が最大となったときであっても、舌部２３の幅Ｐ１は最大開き量Ｑ１よりも広く、また前述の通り縁部面ファスナー２２ｅと舌部面ファスナー２３ｂの幅を約２．５ｃｍと、広く設定しているので、縁部面ファスナー２２ｅと舌部面ファスナー２３ｂとが係合可能であり、且つ靴２０の使用時に縁部面ファスナー２２ｅと舌部面ファスナー２３ｂとの固定が解けてしまわない程度に十分な縁部面ファスナー２２ｅと舌部面ファスナー２３ｂとの重なりＳ１がある。
【００３０】
一方、図３（ｂ）に示すように、甲の高さｈ２が高くない人は足囲が小さいので、靴２０の使用時にはアッパー部１２の切開部１２ｂを狭くなる。したがって、縁部面ファスナー２２ｅと舌部面ファスナー２３ｂとの重なりＳ２は大きくなる。
ここで、甲の高さｈ２が非常に小さく、アッパー部１２の切開部１２ｂの開き量Ｑ２が最小となったときであっても、縁部面ファスナー２２ｅと舌部面ファスナー２３ｂとが係合可能で、且つ靴２０の使用時に縁部面ファスナー２２ｅと舌部面ファスナー２３ｂとの固定が解けてしまわない程度に十分な縁部面ファスナー２２ｅと舌部面ファスナー２３ｂとの重なりＳ２がある。
【００３１】
なお、前述のように縁部面ファスナー２２ｅと舌部面ファスナー２３ｂによりアッパー部１２の切開部１２ｂの開き量Ｑ１，Ｑ２を固定するので、固定ベルト１４での固定は補助的なものである。
【００３２】
このような靴２０によれば、アッパー部１２の縁部１２ｄ上側に縁部面ファスナー２２ｅが設けられ、舌部２３の下側の左右両端に舌部面ファスナー２３ｂが設けられるので、アッパー部１２と舌部２３とを係合することができる。よって、舌部２３によって、アッパー部１２を使用者の足に沿わせて決定したアッパー部１２の切開部１２ｂの開き量Ｑ１，Ｑ２をその状態で固定することができる。
【００３３】
また、舌部２３の幅は開き量Ｑ１，Ｑ２よりも広く、しかも縁部面ファスナー２２ｅと舌部面ファスナー２３ｂの幅を広く設け、開き量Ｑ１，Ｑ２が最小であっても最大であっても係合可能としたので、アッパー部１２の切開部１２ｂの開き量Ｑ１，Ｑ２を調整でき、またその調整幅が広い。よって、使用者は足の全長に合わせて靴２０のサイズを選びさえすれば、甲の高さ等に個人差があってもほぼ全ての使用者が快適に使用できる。
【００３４】
加えて、舌部２３はアッパー部１２の切開部１２ｂに上側から重なるので、締付けを解除しないまま靴２０を履いても、舌部２３が靴２０内部前方に押し込まれることはない。つまり、足の挿入に伴って、舌部２３が靴２０前方に押し込まれることがないので、足をアッパー部１２の履き口部１２ａに挿入し、爪先を数回地面に押圧するだけで靴２０を履くことができる。
【００３５】
また、この締付けを解除しないまま靴２０を履いても、アッパー部１２と舌部２３は固定されているので、足の挿入に伴ってアッパー部１２の縁部１２ｄが靴２０内部に巻き込まれることもない。よって、固定ベルト１４の固定を解除せずに靴２０を履いても、不快な履き心地となる可能性はより下がる。
【００３６】
また、舌部２３はアッパー部１２の切開部１２ｂに上側から重なり、アッパー部１２の切開部１２ｂの蓋となるので、砂等の異物が靴２０の内部に侵入しない。
【００３７】
（第二実施形態）
次に図４を参照して、本発明の第二実施形態に係る靴２０を説明する。図４は、本発明の第二実施形態に係る靴２０の使用前の状態を示す斜視図である。なお、第一実施形態と同一部分には同一符号を付した。
【００３８】
第一実施形態に係る靴２０との相違点は、第一実施形態には設けられている舌部面ファスナー２３ｂと縁部面ファスナー２２ｅが、第二実施形態では設けられていないことのみであり、その他の構成要素は第一実施形態と同一である。
【００３９】
第一実施形態においては、舌部２３にてアッパー部１２の切開部１２ｂの開き量Ｑ１，Ｑ２を固定し、固定ベルト１４での固定は補助的なものであったが、第二実施形態では舌部２３にてアッパー部１２の切開部１２ｂの開き量Ｑ１，Ｑ２を固定することができないので、この開き量Ｑ１，Ｑ２は固定ベルト１４のみで固定することになる。
なお、第二実施形態においても、第一実施形態同様に靴紐は使用しない。また、切開部１２ｂの下側には舌部２３は設けない。
【００４０】
しかし第一実施形態同様、舌部２３はアッパー部１２の切開部１２ｂに上側から重なるので、締付けを解除しないまま靴２０を履いても、足の挿入に伴って舌部２３が靴２０内部前方に押し込まれることはない。
【００４１】
但し、舌部２３とアッパー部１２とは固定されていないので、固定されている場合に比べて、アッパー部１２の縁部１２ｄが靴２０内部に巻き込まれる可能性が出てくる。しかし実用上、従来の靴１０の舌部１３が靴１０前方に押し込まれる可能性に比べると、アッパー部１２の縁部１２ｄが靴２０内部に押し込まれる可能性は遥かに低いので、舌部２３とアッパー部１２とは固定されていなくても従来の靴１０に比べると有用である。
【００４２】
なお、縁部面ファスナー２２ｅや舌部面ファスナー２３ｂの幅等の寸法を具体的に説明したが、これは固定に必要十分な数値を挙げたに過ぎず、この数値に限られるものではない。
【００４３】
また、舌部２３はアッパー部１２に縫い合わせたものとしたが、これに限られるものではなく、舌部２３とアッパー部１２を一体成形してもよい。また、舌部２３はアッパー部１２に接着されていてもよい。
【００４４】
また、アッパー部１２の小指側の側面からベルト片が突出形成され、ベルト片に側面面ファスナー１２ｃが設けられるとしたが、これに限られるものではなく、アッパー部１２の側面外側に直接側面面ファスナー１２ｃを設けてもよい。
【００４５】
また、固定ベルト１４は、アッパー部１２の親指側の側面から突出形成されるとしたが、これに限られるものではなく、アッパー部１２の小指側の側面から突出形成されていてもよい。この場合、ベルト面ファスナー１４ａに対応する側面面ファスナー１２ｃは、当然アッパー部１２の親指側に配置される。
【００４６】
また、固定ベルト１４は左右各一本としたが、これに限られるものではなく、靴２０の前後方向に二本又は三本としてもよい。ただし、このときはそれぞれの固定ベルト１４のベルト面ファスナー１４ａに一対一で対応する側面面ファスナー１２ｃが、固定ベルト１４が突出形成された反対側の側面に設けられる。
【図面の簡単な説明】
【００４７】
【図１】本発明の第一実施形態に係る靴の使用前の状態を示す斜視図である。
【図２】図１に示す靴の使用時の状態を示す斜視図である。
【図３】本発明の実施形態に係る靴を示す、図２のＡ−Ａ線拡大断面図であり、（ａ）は使用者が甲高である場合を、（ｂ）は使用者が甲高でない場合を示す。
【図４】本発明の第二実施形態に係る靴の使用前の状態を示す斜視図である。
【図５】従来例に係る靴を示す平面図である。
【符号の説明】
【００４８】
１０      靴
１１      底部
１２      アッパー部
１２ａ    履き口部
１２ｂ    切開部
１２ｃ    側面面ファスナー
１２ｄ    縁部
１３      舌部
１４      固定ベルト
１４ａ    ベルト面ファスナー
２０      靴
２２ｅ    縁部面ファスナー
２３      舌部
２３ａ    縫合部
２３ｂ    舌部面ファスナー
ｈ１    甲の高さ
ｈ２    甲の高さ
Ｐ１    舌部の幅
Ｑ１    切開部の開き量
Ｑ２    切開部の開き量
Ｓ１    縁部面ファスナーと舌部面ファスナーとの重なり
Ｓ２    縁部面ファスナーと舌部面ファスナーとの重なり
【図１】
2010063642.tif 000003
【図２】
2010063642.tif 000004
【図３】
2010063642.tif 000005
【図４】
2010063642.tif 000006
【図５】
2010063642.tif 000007